(57)【特許請求の範囲】
【請求項１】
植物が生育するのに不可欠な植生基盤が不足しているアクセスの困難な奥地荒廃地に対して適用する緑化材であって，水溶紙で出来た包装体の内側に当該包装体と別の水溶紙で出来た包装体を封入する二重包装体内空間にミネラル供給材とイオン交換物質のうち少なくとも１種類を含む緑化基盤材と木本種子を封入し，外空間には草本種子を封入することを特徴とする二重包装体緑化材。
【請求項２】
二重包装体の形状を一辺１５ｃｍ〜２５ｃｍの四面体とすることを特徴とする請求項１に記載の二重包装体緑化材。
【発明の詳細な説明】
【技術分野】
【０００１】
本発明は，アクセスの困難な奥地荒廃地に対して，多様性を持った植生群落を確実に形成できる，種子と緑化基盤材を封入した緑化材を提供するものである。
【背景技術】
【０００２】
アクセスの悪い奥地荒廃地において緑化を実施する場合，航空緑化工がよく用いられる。航空緑化工の今までの主流は，種子と緑化基盤材と水を混合攪拌して湿式のスラリー状にしてバケットに詰めてヘリコプターで現地へ運び，空中散布する方法であった。この方法では，緑化基盤材を現場地形の凹凸に応じて均一に散布できて散布直後の密着性も良いが，植物の種子と緑化基盤材と水との混合物をヘリコプターや飛行機で現場に運ぶため，重量に対して水が多く，大切な緑化基盤材の量が少なくなるので大量に散布しなければ効果がないものである。そのため，経済的側面から問題が多いものであった。また，スラリー状で流亡し易いために木本植物のように，ある程度の緑化基盤材の厚みが必要な植物に対して十分な厚みを確保することが困難であった。
【０００３】
そして，従来技術として乾燥状態の緑化基盤材，種子，肥料等をバケットに詰めて空中散布を行う方法も少量ながら実施されているが，降雨によって流れ易いことや薄層となることから木本植物を生育させるだけの緑化基盤の厚みを斜面で確保することが困難であった。
【０００４】
また，航空緑化工が余儀なくされるような荒廃した奥地の緑化対象地では，種子吹付工に準ずる今までの技術で緑化を行われているために播種された種子は同時に散布される緑化基盤材によって最低限の環境を保たれるものの，通常の法面で行うような植物の生育を助ける有機質資材を大量に用いる緑化手法と比べて，栄養面，水分面等で非常に過酷な状況下に置かれることとなる。このような緑化手法であることから，植物の良好・確実な定着には実播後も最小限２〜３年の期間，追播，追肥が必要となり，維持管理費用が多くかかっていた。
【０００５】
第1に，このような奥地荒廃地に木本植物を導入するためには，事前にスラリー状の緑化基盤材をあらかじめ対象箇所に散布し，その後，少なくとも種子，緑化基盤材，肥料，高分子粘着材，浸食防止材，および繊維資材を材料として，該材料を湿潤状態で混練してコーティング種子粘材を作成し，該コーティング種子粘材を造形加工および乾燥させてなるコーティング種子の航空実播工を行うことを特徴とする緑化工法が提案されている。（例えば特許文献１）
【０００６】
第２に，木本系の種子を航空散布する際に水溶紙で作られたバック内に種子や培養土を封入し，空中から散布する緑化工法などが提案されている。（例えば特許文献２）
【０００７】
第３に，腐食し易い天然繊維製の網，紙，不織布などに緑化基盤材と植物の種子と多孔構造用物質とを詰め込こんだ生態系保全用緑化袋体と前記緑化基盤材と植物の種子とを圧縮成形してなる緑化ペレットとを混合したものを航空緑化工の材料として使用する方法もある。（例えば特許文献３）
【０００８】
第４に，航空緑化に限らず，水溶紙からなる包装袋に種子，土壌および肥料を収納した種子パックを活用した資材も存在する。（例えば特許文献４）
【先行技術文献】
【特許文献】
【０００９】
【特許文献１】特許第３１１２６４９号公報の発明
【特許文献２】特開平  ０８−２４２６１４号公報の発明
【特許文献３】特開平  ０９−１０３１２５号公報の発明
【特許文献４】特開平  ０５−３２８８０３号公報の発明
【発明の開示】
【発明が解決しようとする課題】
【００１０】
本発明が解決しようとする課題は，木本植物が生育可能な緑化基盤量を経済的に奥地荒廃地へ運搬し，確実に発芽生育させる緑化材を提供することである。
【００１１】
使用する種子にも課題がある。種子の発芽の条件は水，光，温度の３つが主な要因とされているが，植物によってどの要因が重視されるかは異なっている。
ヤマハギ，ハゼノキ，ヌルデといった荒れ地に侵入し易い先駆性木本植物の種子は乾燥した荒地において発芽機能を保持することができ，スラリー状の基盤に投入すると休眠が打破され，発芽し易い傾向にある。
また，ドングリ等の堅果は乾燥すると発芽率が低下するため，保存には一定の水分が必要となる。
ススキ等の草本種子は，土中深く埋められると発芽生育が困難で，土中の０.５ｃｍより深く埋められた場合，発芽率は著しく低くなることが知られている。
【００１２】
このため，特許文献１のように，一度スラリー状にした後で乾燥させると，ペレット中に含まれるヤマハギ，ハゼノキ，ヌルデ等の先駆性木本植物の種子は発芽不良を起こして枯死する。ドングリ等の堅果は乾燥すると発芽率が低下する。また，ススキ等の草本種子は，土中深く埋められると発芽不良を起こす。
【００１３】
特許文献２の発明では，種子および培養土を水溶性のパルプ系不織布または紫外線分解型化繊含有腐食製のバックに入れるが，培養土と種子を混合することから深く埋められると発芽し難い草本植物等の発芽率が低下する。また，乾燥状態や湿潤状態いずれかの環境しか再現できないことから，乾燥状態や湿潤状態の環境を同時に作ることができず，木本植物の種類によって発芽率が低下する。
【００１４】
さらに，特許文献３の発明では，腐食し得る紙等にいわゆる生育基盤および種子を投入するが，腐食紙が一重であることから，発芽条件の違う植物に対応するためには，分解速度の異なった腐食紙で対応しなくてはならない。特許文献４の発明もおいても同様の課題がある。
【００１５】
一方で，湿潤状態と乾燥状態の１重紙パックの散布割合を変えて緑化の対象となる奥地荒廃地に散布した場合には，緑化パックの散布によって単一種毎の植物群落は形成されるものの先駆性植物と木本植物の多様性を持った植生群落を形成することができない。
【課題を解決するための手段】
【００１６】
上記の課題を解決するため、本発明者らは鋭意検討を行った結果、緑化基盤材等を封入する包装体を二重構造とすることにより，多様性を持った植生群落を形成する緑化材の発明を完成した。
【００１７】
本発明の第１は，植物が生育するのに不可欠な植生基盤が不足しているアクセスの困難な奥地荒廃地に対して適用する緑化材であって，水溶紙で出来た包装体の内側に当該包装体と別の水溶紙で出来た包装体を封入する二重包装体にミネラル供給材とイオン交換物質を少なくとも一種類以上からなる緑化基盤材と種子を封入することにある。
【００１８】
本発明の第２は，水溶紙で出来た二重包装体の形状を一辺１５ｃｍ〜２５ｃｍ程度の四面体とすることにある。
【発明の効果】
【００１９】
本発明は上記の構成であることから，次の効果がある。
【００２０】
本発明１によれば，種子の種類によって湿潤状態および乾燥状態のどちらでも発芽率の低下を防止し，確実に緑化することが可能である。
【００２１】
本発明２によれば，四面体という形状および紙容器に包まれた柔らかい緑化基盤材であるため，落下後に斜面の凹凸に追従して転がることが少ない。
【図面の簡単な説明】
【００２２】
【図１】図１は四面体の二重包装体からなる緑化材の模式断面図である。
【発明を実施するための形態】
【００２３】
本発明の第１は，第１の発明に係わる緑化材において，水溶紙で出来た包装体の内側に当該包装体と別の水溶紙で出来た包装体を封入する二重包装体にミネラル供給材とイオン交換物質を少なくとも一種類以上からなる緑化基盤材と種子を封入することを特徴とするものである。
【００２４】
ミネラル供給材は，植物に有益な成分の観点から，ＣａＯが６質量％以上７０質量％以下，Ｔ−Ｆｅが３.１質量％以上，Ｐ２Ｏ５が０.３質量％以上，Ａｌ２Ｏ３が４.８質量％以下となるミネラル含有物質が好適であり，鉄鋼スラグが例示される。また，ミネラル補填材である鉄粉や黒鉛粉等が含まれると更に好ましい。
【００２５】
鉄鋼スラグとは、高炉水砕スラグ、高炉徐冷スラグ等の高炉から出滓された高炉スラグ、溶銑予備処理スラグ（脱硫スラグ、脱珪スラグ、脱リンスラグ）、転炉スラグ、電気炉スラグ、ステンレススラグ等の溶鋼を溶製するために利用するあらゆる精錬容器で形成されたスラグである。
【００２６】
また，ミネラル含有物質は、炭酸化処理された鉄鋼スラグでもよい。鉄鋼スラグは植物の栄養源となるカルシウム分を多く溶出・抽出させることが可能であるが、鉄鋼スラグ中の未滓化カルシウムを二酸化炭素含有ガスと接触させ炭酸化反応を行い、炭酸カルシウムにさせた炭酸化処理後の鉄鋼スラグをミネラル含有物質として使用することで、カルシウム以外にマグネシウム、ケイ素、リン、鉄等のミネラル分を効率良く溶出・抽出させることが可能となる。
【００２７】
イオン交換物質は炭素率（Ｃ／Ｎ比）で１０以上，有機物含有量が７０％以上，ｐＨが−１.１〜９.０，電気伝導度が２.０ｍＳ／ｃｍ以下の特徴を有する物質で，例えば，人工腐植土，バーク堆肥，ピートモス，腐葉土が挙げられる。
【００２８】
人工腐植土はバーク堆肥，ピートモス，腐葉土，もしくは未分解の草木，樹木のチップ，または，工場，事業所から排出される排水，下水道終末処理場における下水，し尿，家畜排泄物のばっ気処理、発酵処理によって得られる汚泥およびその処理物の少なくとも１種以上が含まれる有機質資材を酸性液体で養生し生成された腐植土を１種または２種以上混合したものである。
【００２９】
緑化基盤材はミネラル供給材とイオン交換物質のうち少なくとも１種類が必要である。或いはミネラル供給材とイオン交換物質の両方を含むものであっても良く，また，気象条件，土壌の養分条件に応じて，肥料，土壌活力剤，結合材，保水材を加えることが出来る。また，緑化基盤材はその水分が５０〜７０％が好適であるが，その条件を外れる場合は加水もしくは乾燥しても良い。
【００３０】
緑化材に用いる二重包装体は水溶紙で出来た包装体の内側に当該包装体と別の包装体を封入したものであり，内側の包装体を内側包装体と称し，外側の包装体を外側包装体と称する。２つの包装体を有することにより，２つの空間が有り，内側包装体の内部を内空間と称し，内側包装体と外側包装体の空間を外空間と称する。
【００３１】
本発明の緑化材は，上記した２つの空間を有することにより，湿潤状態の種子保存空間と乾燥状態の種子保存空間の混在が可能となった。
【００３２】
たとえば，内空間に緑化基盤材を封入することで，その水分により湿潤状態を保ち，ここに発芽深度の深い先駆性木本種子であるヌルデや，埋土型木本種子であるドングリ等の堅果を加える。外空間には緑化基盤材を封入せず，乾燥状態を作り，発芽深度の浅い草本種子であるススキ等を加える。
【００３３】
散布された緑化材は先ず，雨水等により外側包装体が溶け，浅いところで草本種子が発芽，生育し，植生基盤を固定する。次ぎに内側包装体が溶け，発芽深度が必要な木本種子が発芽，生育することで，草本種と木本種が混在した多様性を持った植生群落を形成できる。
【００３４】
その周辺環境により，包装体内の各空間の状態を適正化することが出来る。例えば，緑化材を散布する周辺にススキ等の草本植物群落が形成されている場合には種子が風により飛来することが期待でき，外空間の種子を減じる，もしくは加えない場合もある。
【００３５】
さらに，外空間に乾燥した緑化基盤を少量封入することにより，草本種子の発芽を促すことが出来る。
【００３６】
本発明の第２は，第１の発明に係わる緑化材において，二重包装体の形状を一辺１５ｃｍ〜２５ｃｍの四面体とすることを特徴とする。四面体という形状及び紙に包まれた柔らかい緑化基盤材であるため，落下後に斜面の凹凸に追従して止まりやすく転がることが少ない。さらに，降雨によって水溶紙中に含まれる緑化基盤材と結合材が降雨と反応して，地山に定着するため安定的な基盤となる。
【実施例】
【００３７】
本発明の効果を確認するために，植物生存数推移を調査した。
【００３８】
実施例は,内側包装体２と外側包装体３からなる二重包装体１の内空間Ｇに緑化基盤材４を封入した。緑化基盤材４はミネラル供給材として脱リンスラグを１１ｇ，イオン交換物質として人工腐植土９０ｇを混合し，水分を６０質量％に調整した。内空間の緑化基盤材４にコマツナギの種子５を２０粒，コナラの種子５を５粒を混ぜ，二重包装体１の外空間Ｇ′にはススキの種子５を２０粒封入した。この二重包装体１を培地に３袋設置し，１日１Lの水を散布した。
【００３９】
比較例１は一重包装体１に緑化基盤材４を封入した。この緑化基盤材はミネラル供給材として脱リンスラグを１１ｇ，イオン交換物質として人工腐植土９０ｇを混合し，水分１５質量％に調整した。緑化基盤材にコマツナギの種子５を２０粒，コナラの種子５を５粒，ススキの種子５を２０粒封入した。この一重包装体２を培地に３袋設置し，１日１Lの水を散布した。
【００４０】
比較例２は一重包装体１に緑化基盤材３を封入した。緑化基盤材４はミネラル供給材として脱リンスラグを１１ｇ，イオン交換物質として人工腐植土９０ｇを混合し，水分６０質量％に調整した。緑化基盤材４にコマツナギの種子５を２０粒，コナラの種子５を５粒，ススキの種子５を２０粒封入した。この一重包装体２を培地に３袋設置し，１日１Lの水を散布した。
【００４１】
各種の生存推移を（表１）に示す。ススキの生存推移は，緑化基盤材４と一緒に封入した比較例１や比較例２よりも，実施例の生存数が高かった。コナラ及びコマツナギの生存推移は，湿潤状態の緑化基盤と一緒に封入した比較例２や実施例の方が乾燥状態の緑化基盤と一緒に封入した比較例１よりも生存数が高かった。
【００４２】
二重包装体を用いた実施例では三種の植物種とも生存数推移が良好であった。
（表１）
0005822709.tif 000002
【産業上の利用可能性】
【００４３】
本発明は，奥地の荒廃地といったアクセスが困難な場所で実施する緑化工事に置いて，多様性を持った植生群落を確実に形成できる緑化材を提供できるものである。
【符号の説明】
【００４４】
１…二重包装体
２…内側包装体
３…外側包装体
４…緑化基盤材
５…種子
Ｇ…二重包装体１の内空間
Ｇ′…二重包装体１の外空間
【図１】
0005822709.tif 000003